【事件の表示】
　特許第３２４４４０５号「画像処理装置」の請求項１、２に係る特許に対する特許異議の申立てについて、次のとおり決定する。
【結　論】
　訂正を認める。
　特許第３２４４４０５号の請求項１に係る特許を維持する。
【理　由】
１．手続の経緯
　特許第３２４４４０５号に係る発明についての出願は、平成７年８月２５日の特許出願であって、平成１３年１０月２６日にその発明について特許の設定登録がなされ、その後、その特許請求の範囲における請求項１−２に係る発明について、異議申立人大木茂より特許異議の申立てがなされ、取消理由通知がなされ、その指定期間内である平成１４年１２月２６日に訂正請求がなされたものである。
　　
２．訂正の適否について
（１）訂正の内容
　平成１４年１２月２６日付けの訂正請求書による訂正事項は、以下のとおりである。
　ア．特許請求の範囲における請求項１を削除し、特許請求の範囲の請求項２における次の記載
　「【請求項２】前記画像処理手段（２）は、輝度信号の輪郭強調処理を行うことを特徴とする請求項１の画像処理装置。」
を、
　「【請求項１】輝度信号と色差信号のうち、該輝度信号に対して輪郭強調処理を行う画像処理手段（２）と、この輪郭強調処理された信号を含む前記輝度信号と色差信号を、Ｒ、Ｇ、Ｂまたはシアン、マゼンタ、イエロー等の各色成分の信号に変換する変換手段（３，８）と、この各色成分の信号に対してコントラスト調整を行うコントラスト調整手段（４）と、このコントラスト調整された前記各色成分の信号を誤差拡散法により2値化する疑似中間調変換手段（５）とを備えることを特徴とする画像処理装置。」
と訂正する。
　
　イ．明細書の段落番号【００３５】の次の記載
　「回路変更でのみで」
を、
　「回路変更のみで」
と訂正する。
　
（２）訂正の目的の適否、新規事項の有無及び拡張・変更の存否
　上記訂正事項ア．は、特許請求の範囲に記載された請求項１に係る発明を削除し、特許請求の範囲に記載された請求項２を、その項数を繰り上げて請求項１とするものであるから、この訂正は、特許請求の範囲の減縮に相当し、新規事項の追加に該当しない。
　上記訂正事項イ．は、明瞭でない記載の釈明を目的として、願書に添付した明細書に記載された事項の範囲内において訂正するものであり、新規事項の追加に該当しない。
　そして、上記訂正ア．及びイ．は、実質上特許請求の範囲を拡張し、変更するものでもない。
 
（３）以上のとおりであるから、上記訂正は、特許法第１２０条の４第２項並びに同条第３項において準用する特許法第１２６条第２項及び第３項の規定に適合するので、当該訂正を認める。
　
３．特許異議の申立てについて
（１）申立の理由の概要
　異議申立人大木茂は、証拠として
甲第１号証（特開昭５９−　７８３４９号公報）、甲第２号証（特開平　７−１７０４２０号公報）、甲第３号証（特開平　５−２２７４９６号公報）、甲第４号証（特開平　１−１９００８０号公報）、甲第５号証（特開昭６３−２０５２３８号公報）、を提出し、本件請求項１−２に係る発明は、甲第１号証又は甲第２号証に記載された発明であるから、特許法第２９条１項３号の規定に違反して特許を受けたものであり、また、本件請求項１−２に係る発明は、甲第３号証乃至甲第５号証に記載された発明に基づいて当業者が容易に発明をすることができたものであるから、特許法第２９条第２項の規定に違反して特許を受けたものであるので、本件請求項１及び２に係る発明の特許を取消すべき旨主張している。
　
（２）本件発明
　平成１４年１２月２６日付けで提出された訂正明細書の請求項１に係る発明（以下、「本件発明という。」）は、その特許請求の範囲の請求項１に記載された次のとおりのものである。
　
【請求項１】輝度信号と色差信号のうち、該輝度信号に対して輪郭強調処理を行う画像処理手段（２）と、この輪郭強調処理された信号を含む前記輝度信号と色差信号を、Ｒ、Ｇ、Ｂまたはシアン、マゼンタ、イエロー等の各色成分の信号に変換する変換手段（３，８）と、この各色成分の信号に対してコントラスト調整を行うコントラスト調整手段（４）と、このコントラスト調整された前記各色成分の信号を誤差拡散法により2値化する疑似中間調変換手段（５）とを備えることを特徴とする画像処理装置。
　　　
４．引用刊行物記載の発明
（１）当審が通知した取消理由に引用した刊行物１（特開昭５９−７８３４９号公報）（甲第１号証）には、ビデオテープなどに記録したテレビジョン信号等の連続映像信号から所望画面を一旦マスタビデオディスクに記録した後、高品質画像のカラーフィルム及び色分解版をオフライン的に作成するビデオ画像の製版システムが記載されている。
　　　　
（２）当審が通知した取消理由に引用した刊行物２（特開平７−１７０４２０号公報）（甲第２号証）には、デジタルカラー複写機，ＦＡＸ等のカラー画像入力装置において画像読み取り時に発生する画素ズレ（画像ズレ）を簡易な方法で高精度に補正し、高品質の画像再現を達成するカラー画像処理装置が記載されている。
  
（３）当審が通知した取消理由に引用した刊行物３（特開平５−２２７４９６号公報）（甲第３号証）には、テレビジョン受像機回路における直流伝送率を制御する直流伝送率制御回路が記載されている。
　
（４）当審が通知した取消理由に引用した刊行物４（特開平１−１９００８０号公報）（甲第４号証）には、カラー複写機等において複数の色信号から単色信号を出力する際、自然な画像を出力するカラー画像処理装置が記載されている。
　　
（５）当審が通知した取消理由に引用した刊行物５（特開昭６３−２０５２３８号公報）（甲第５号証）には、原稿中の画像領域を識別し各領域に対応した2値化処理を行う画像処理装置が記載されている。
　　　
５．対比・判断
　請求項１に係る発明と刊行物１乃至５に記載された発明とを対比すると、刊行物１乃至５に記載された発明は、いずれも、請求項１に記載された発明の要件である
　「この輪郭強調処理された信号を含む前記輝度信号と色差信号を、Ｒ、Ｇ、Ｂまたはシアン、マゼンタ、イエロー等の各色成分の信号に変換する変換手段（３，８）と、この各色成分の信号に対してコントラスト調整を行うコントラスト調整手段（４）」
について開示しない。
 そして、請求項１に係る発明は、上記要件を有することにより、明細書記載の「本発明は、ＣＭＹ信号又はＲＧＢ信号等への変換時に変換誤差が発生し、且つ、誤差拡散法により2値化する画像編集装置において、発生する特有の問題である変換誤差ノイズを防止するものである。本発明では、画素値が飽和しやすいコントラスト調整を、輝度信号及び色差信号からＲＧＢ信号等への変換後に行うという、安易な回路変更のみで、輝度及び色差信号からＲＧＢ等の各色成分に変換する際の誤差ノイズによる劣化を防ぎ、高品位の画像を得ることができる。」という効果を奏するものであるから、請求項１に係る発明は、刊行物１乃至５に記載された発明であるとも、刊行物１乃至５に記載された発明に基いて当業者が容易に発明をすることができた発明であるともいえない。
　
６．特許異議申立人の主張について
（１）特許異議申立人大木茂は、特許異議申立書において、刊行物１（甲第１号証）に示される「ディテールコレクタ６３」、「ＲＧＢデコーダ５２」、及び「階調修正部７２」は、それぞれ、本件発明の「輪郭強調処理を行う画像処理手段（２）」、「輪郭強調処理された信号を含む前記輝度信号と色差信号を、Ｒ、Ｇ、Ｂまたはシアン、マゼンタ、イエロー等の各色成分の信号に変換する変換手段（３，８）」、及び「各色成分の信号に対してコントラスト調整を行うコントラスト調整手段（４）」に対応するから、本件発明は、刊行物１に記載された発明である旨主張するが、
　刊行物１には、輝度信号で輪郭強調およびコントラスト調整を行い、ＲＧＢ信号に変換した後、誤差拡散で二値化した場合、白っぽい背景等に不自然な点があらわれるという、いわゆる、変換誤差ノイズの課題についての示唆または開示が全くなく、問題意識自体が記載されていない。
　また、刊行物１に記載された発明は、アナログ方式を採用するものであるのに対して、本件発明は、デジタル処理方式を採用するものである。そして、アナログ処理では、変換誤差ノイズによる画像の劣化を防ぐという課題自体が生じる理由がない。
　しかも、刊行物１に記載された発明は、「コントラスト調整された前記各色成分の信号を誤差拡散法により2値化する疑似中間調変換手段（５）」を有するものではない。
　したがって、本件発明は、刊行物１に記載された発明であるということはできない。
　
（２）特許異議申立人大木茂は、特許異議申立書において、刊行物２（甲第２号証）に示される「色変換３又は５」、「シャープネス補正８」、及び「出力階調補正９」は、それぞれ、本件発明の「輪郭強調処理された信号を含む前記輝度信号と色差信号を、Ｒ、Ｇ、Ｂまたはシアン、マゼンタ、イエロー等の各色成分の信号に変換する変換手段（３，８）」、「輪郭強調処理を行う画像処理手段（２）」、及び「各色成分の信号に対してコントラスト調整を行うコントラスト調整手段（４）」に対応するから、本件発明は、刊行物２に記載された発明である旨主張するが、
　刊行物２には、変換誤差ノイズの課題についての示唆または開示が全くなく、問題意識自体が記載されていない。
　また、刊行物２の「出力階調補正９」は、画像出力装置の直前に配置されており、段落【０００６】の出力階調補正９に関する記載からみるに、画像出力装置の特性に応じた階調補正、すなわち、ガンマ補正を行うものであることは明白であり、コントラスト調整を行うものではない。
　しかも、刊行物２に記載された発明の「シャープネス補正８」は、「色変換３又は５」の後段に接続されており、本願発明の「輝度信号に対して輪郭強調処理を行う画像処理手段（２）」とは、その配置位置及び強調処理が相違する。
　また、刊行物２に記載された発明は、本件発明の「コントラスト調整された前記各色成分の信号を誤差拡散法により2値化する疑似中間調変換手段（５）」を有するものではない。
　したがって、本件発明は、刊行物２に記載された発明であるということはできない。
　
（３）特許異議申立人大木茂は、特許異議申立書において、刊行物３（甲第３号証）には、本件発明の「輪郭強調処理を行う画像処理手段（２）」、「輪郭強調処理された信号を含む前記輝度信号と色差信号を、Ｒ、Ｇ、Ｂまたはシアン、マゼンタ、イエロー等の各色成分の信号に変換する変換手段（３，８）」、及び「各色成分の信号に対してコントラスト調整を行うコントラスト調整手段（４）」にそれぞれ対応する「シャープネス調整回路６」、「輝度色差マトリックス８」、及び「コントラスト調整回路９」が記載されており、
　そして、刊行物４及び５には、疑似中間調により２値化することが記載されているから、本件発明は、刊行物３乃至５に記載された発明に基づいて当業者が容易に発明をすることができたものである旨主張するが、
　刊行物３〜５のいずれにも、輝度信号で輪郭強調およびコントラスト調整を行い、ＲＧＢ信号に変換した後、誤差拡散で二値化した場合、白っぽい背景等に不自然な点があらわれるという、いわゆる、変換誤差ノイズの課題についての示唆または開示が全くなく、問題意識自体が記載されていない。
　刊行物３に記載された発明は、テレビジョン受像機回路における直流伝送率の制御に関する発明であり、刊行物３の「シャープネス調整回路６」、「輝度色差マトリックス８」、及び「コントラスト調整回路」は、アナログ回路であり、アナログ処理では、変換誤差ノイズによる画像の劣化を防ぐという課題自体が生じる理由がなく、刊行物４及び５に示される画像2値化用の疑似中間調装置を刊行物３に記載された発明に組み合わせる動機付けが存在せず、その組合せには無理があると云わざるを得ない。
　したがって、本件発明は、刊行物３乃至５に記載された発明に基づいて当業者が容易に発明することができるとはいえない。
　
７．むすび
　以上のとおりであるから、特許異議申立の理由及び証拠によっては、本件請求項１に係る発明の特許を取り消すことができない。
　また、他に本件請求項１に係る発明の特許を取り消すべき理由を発見しない。
　よって、結論のとおり決定する。
　
【異議決定日】
平成１５年１月２３日（２００３．１．２３）
【訂正の要旨】
訂正事項
　ａ．特許請求の範囲の請求項１−２において、特許請求の範囲の減縮を目的として、特許時の請求項１を削除し、以下項数を繰り上げて訂正する（クレーム対応表参照）。
　ｂ．特許第３２４４４０５号公報第４頁左欄第９行目における「回路変更でのみで」を、誤記の訂正を目的として「回路変更のみで」と訂正する。
（５４）【発明の名称】
画像処理装置
（５７）【許請求の範囲】
　
【請求項１】
該輝度信号
輪郭強調
輪郭強調
【発明の詳細な説明】
　【０００１】
　【発明の属する技術分野】
　本発明は、カラー画像を、Ｒ、Ｇ、Ｂまたはシアン、マゼンタ、イエロー等の各色成分ごとに２値化する画像処理装置に関する。特に、カラー画像を、ＲＧＢ信号の各色を誤差拡散法で２値化する画像処理装置に関する。
　【０００２】
　【従来の技術】
　近年、パソコンやワープロ等の事務機器のパーソナル化によって、ＣＣＤカメラ等によりカラー画像を取り込み処理をするという要望が高まってきている。しかし、ＣＣＤカメラ等を用いて画像を取り込む場合、ファクシミリやスキャナと異なり光源が一定でないため、画像の明るさの調整やコントラストの調整が必要となる。
　【０００３】
　一方、カメラで取り込んだ画像は、ＲＧＢの三原色かまたはその補色系であるシアン、マゼンタ、イエロー（以下ＣＭＹ）の３原色において、それぞれ二値化されて表示されたり、印刷されたりする。この時、できるだけ原画像に近い画像を表現するために、二値化しても疑似的に階調が表現出来ればよい。
　【０００４】
　この疑似階調表現手法としては、ディザ法及び誤差拡散法が、よく知られている。ディザ法では、予め決められた幾つかの画素の集合の中で、あるパターンに従って各画素ごとに閾値を変える。これにより、画素値に応じて集合内の閾値を越えるドット数が変化するため、見た目に階調があるように見える。
　【０００５】
　ただし表現しようとする疑似階調数と分解能を同時に高めることはできない。
　すなわち、表現できる階調を増やすと、全体的にぼやけた画像になってしまう。また、ある領域における画素値の総和が保存されないため、微妙な色調を再現できないという欠点がある。これらの問題を解決し、ディザ法より高品位な二値画像を得られるのが、周知の誤差拡散法である。
　【０００６】
　この２値化の誤差拡散法では、閾値と画素値（各画素におけるＲＧＢ信号や輝度等の各色成分ごとに持つ値）を比較し、１か０かを判断した後、その値と原画像の画素値の差を誤差とし、その誤差の符号を変えたものを未処理画素に分配していく。これにより誤差は打ち消され、ある領域において、原画像と二値化後の画像の画素値の総和は保存されるため、ディザ法に比べ高品位な画像が得られる。
　【０００７】
　ただし、輪郭部分がぼやけてしまうという欠点がある。このため、特開平３−１４５２７３号公報（Ｈ０４Ｎ１／４０）にも示されるように、これを改善するため輪郭強調を行う必要がある。この輪郭強調をＲＧＢ信号のそれぞれに施すと回路規模の増大を招き、また、輪郭部分で色相ずれが起きる等の問題があるため、図２に示すように、カラー自然画像を輝度信号と色差信号に分離し、輝度信号のみにこれらの処理を行う。
　【０００８】
　図２において、１は、ＮＴＳＣ信号であるカラーＴＶ信号を輝度信号と、色差信号とを分離している。２は、この輝度信号の輪郭強調を行う輪郭強調回路である。９は、輝度信号のコントラスト調整を行うコントラスト調整回路である。３は、輝度信号と色差信号をＲＧＢ信号に変換する変換回路である。
　【０００９】
　５は、ＲＧＢ信号を誤差拡散処理を利用して、２値信号に変換する回路であり、ＲＧＢ信号を２値の疑似中間調信号に変換する回路である。
　【００１０】
　【発明が解決しようとする課題】
　この図２の画像処理装置において、輝度信号で輪郭強調およびコントラスト調整を行い、ＲＧＢ信号に変換した後、誤差拡散で二値化した場合、白っぽい背景等に不自然な点があらわれることがある。その一例を図３に示す。
　【００１１】
　図３（ａ）は、ＣＣＤカメラ等により人物の画像を取り込み、図２の従来のシステムに従い処理し、コントラスト調整が終わった時点のものである。背景（６１）に比べ人物（６２）が暗めに映っているため、コントラストを上げた結果、背景がとんで真っ白になっている。これを輝度及び色差信号からＲＧＢ信号に変換し、２値化したのが図３（ｂ）である。
　【００１２】
　この図３（ｂ）のように真っ白になっているはずの背景に不自然な点（６３）があらわれている。これは、コントラスト調整時に、とり得る上限値（８ビットなら２５５）を超えて飽和したデータを、輝度及び色差信号からＲＧＢ信号に変換するときに、その変換誤差により、変換結果（ＲＧＢ）が上限値よりわずかに小さい値になってしまうことによる。
　【００１３】
　図４を用いてこれを説明する。なお、ここで扱うデータはＲＧＢ信号、輝度信号、色差信号（Ｃｒ，Ｃｂ）とも８ビットであるとする。すなわちそれぞれのとり得る値は０〜２５５（色差信号は−１２７〜１２８）である。ここで、図４（ａ）に示すような値をとる画素があったとする。この画素は輝度のみ１５０という値を持ち、説明を簡単にするため色差信号は０とする。
　【００１４】
　一般的にＣＣＤカメラの画像は、コントラストが弱い。ここでコントラストをあげるために、輝度を２倍にしたとする。すると図４（ｂ）に示すように、輝度の値は上限値２５５を越えてしまう。２５５を越えた値は扱えないので、その画素の輝度は２５５（すなわち白）とされる。
　【００１５】
　この後、
　【００１６】
　【数１】
　【００１７】
　（１）式により、輝度信号と色差信号はＲＧＢ信号に変換される。この変換が理想的で有れば、図４（ｄ）のようにＲＧＢそれぞれ上限値２５５となり、変換後も白色となる。この場合、輝度信号において飽和している値が、ＲＧＢへの変換後もＲＧＢ各々が飽和した場合と同じ値（２５５）をとっているので問題ない。
　【００１８】
　ところが、輝度及び色差信号からＲＧＢに変換する（１）式の変換マトリクスをハードウエアで実現する場合、必ずしも理想的なマトリクスを作ることはできないので、変換に誤差が生じる。この変換誤差により、変換後の値は、図４（ｅ）のように２５５を越えたり、足りなかったりする。
　【００１９】
　これを誤差拡散で各色を二値化すると、このわずかに足りない部分が、誤差拡散特有の性質により、順次積算され、この積算された値が所定の値を越えると、この色は発色しなくなる。例えば、Ｂ信号が発色しない部分は、ＲＧのみの発色となるので、黄色の点となってあらわれる。すなわち、コントラスト調整の結果、飽和してとんでしまい真っ白になっているはずの部分に色のついた点があらわれるのである。
　【００２０】
　この変換誤差と誤差拡散により発生する点を、変換誤差ノイズと呼ぶこととする。尚、この従来例では、コントラスト調整を、画素の輝度およびＲＧＢ各成分を定数倍することで実現しているが、コントラストをあげるということは、各画素における最大値と最小値の差を広げることになるので、他の方法をとった場合でもコントラスト調整は各画素値が飽和しやすいという性質を持つ。
　【００２１】
　またコントラスト調整を行う場合、画像内の特定部分（例えば人の顔等）を基準に行うため、その他の部分（背景等）が飽和しがちであり、変換誤差ノイズはしばしばあらわれる。
　【００２２】
　【課題を解決するための手段】
　本発明では、画素値が飽和しやすいコントラスト調整を、輝度信号及び色差信号からＲＧＢ信号への変換後に行うこととする。
　【００２３】
　【実施の形態】
　本発明の構成を図１の第１実施例を参照しながら説明する。ここで、各色成分ごとのビット数等の条件は、従来の説明と同様とする。入力されたカラー画像は輝度色差分離回路（１）により、輝度信号と色差信号に分離される。
　【００２４】
　分離された輝度信号は、輪郭強調回路（２）により輪郭が強調される。これにより、回路規模拡大を防ぎつつ、誤差拡散やディザ処理において輪郭がぼけるという欠点を補う。輪郭強調の具体的な例としては、原画像における輝度のラプラシアンを計算し、それを原画像に加える方法等が挙げられる。
　【００２５】
　次に、ＲＧＢ変換回路（３）により、輪郭強調後の輝度信号と色差信号をＲＧＢ信号に変換する。これは、最終的にＲＧＢ各二値のデータを得るためである。この時の変換後の値の様子を図５（ａ）に示す。変換によるわずかな誤差による差がＲＧＢ各色成分にあらわれている。
　【００２６】
　次に、コントラスト調整回路（４）により、ＲＧＢ各色でコントラスト調整を行う。コントラスト調整を図５を用いて説明する。ここでは、コントラストをあげるため、各画素におけるＲＧＢの値を２倍した場合を考える。
　【００２７】
　すると図５（ｂ）のようにＲＧＢすべて飽和して上限値を越えてしまうので、コントラスト調整後の結果は図５（ｃ）のようになる。図２の従来例における誤差拡散回路への入力データ図４（ｅ）と図５（ｃ）を比較すると、本実施例により、誤差の無いときのデータ図４（ｄ）と同じデータが、誤差拡散回路（５）に入力されていることがわかる。
　【００２８】
　この後、誤差拡散回路（５）により二値化処理を行う。この時、従来において現れた変換誤差ノイズはあらわれない。このように、輝度及び色差信号からＲＧＢに変換した後に、コントラストの調整をすることにより、変換誤差ノイズの発生を防ぐことができる。図６を参照しつつ本発明の第２実施例を説明する。
　【００２９】
　この第２実施例では、カラー画像信号を輝度色差分離回路（１）により輝度信号、色差信号に分離した後、黒レベル調整回路（７）により輝度信号に黒レベル調整を行っている。ＣＣＤカメラ等により取り込んだカラー画像における輝度信号は、最も小さな値でも０になることはほとんどないため、各画素の輝度の値から一定値を減じ、黒い部分を輝度０に調節する。これにより画面が締まり、コントラストもよくなる。
　【００３０】
　前述の（１）式より、輝度信号より一定の値を減ずることは、ＲＧＢ各成分から同じ値を減ずるのとまったく等価であるため、このように輝度のみで行うことは、回路規模の縮小に有効である。この黒レベル調整の後、輪郭強調回路（２）により処理がされるが、以降は図１と同様である。
　【００３１】
　この第２実施例では、黒レベル調整回路（７）を輪郭強調回路（２）の前においたが、処理の順番は逆でもよい。図７を参照しつつ本発明の第３実施例を説明する。第１実施例では、輝度及び色差信号をＲＧＢ信号に変換したが、この第３実施例においてはＲＧＢ信号ではなくＣＭＹ信号に変換するものである。
　【００３２】
　つまり、コントラスト調整回路（４）の前段にＣＭＹ信号に変換するＹＭＣ変換回路（８）を配置している。一般的にディスプレイ等の表示にはＲＧＢが用いられ、プリンタ等への出力にはＣＭＹ信号が用いられる。印字のみが目的であれば、この第３実施例のほうが、図１の第１実施例より効率がよい。
　【００３３】
　なお、本実施例では、輝度色差信号から直接ＣＭＹ信号に変換しているが、一度ＲＧＢ信号に変換してコントラスト調整等の処理を行い出力時にＣＭＹ信号に変換してもよい。また逆に一度ＣＭＹ信号に変換して出力時にＲＧＢ信号に変換してもよい。この場合、図７の構成の他に、ＲＧＢ信号からＣＭＹ信号へ、またはＣＭＹ信号からＲＧＢ信号への変換回路が必要となる。
　【００３４】
　印刷関係では本実施例でＣＭＹ信号と呼んでいる三原色にＫ（黒）を加える場合もある。本実施例において、ＣＭＹ信号といった場合、ＣＭＹＫ信号も含んでいる。
　【００３５】
　【発明の効果】
　本発明は、ＣＭＹ信号又はＲＧＢ信号等への変換時に変換誤差が発生し、且つ、誤差拡散法により２値化する画像処理装置において、発生する特有の問題であるを変換誤差ノイズを防止するものである。本発明では、画素値が飽和しやすいコントラスト調整を、輝度信号及び色差信号からＲＧＢ信号等への変換後に行うという、容易な回路変
更の
【図面の簡単な説明】
　【図１】
　本発明の第１実施例を示す図である。
　【図２】
　従来の画像処理の構成例である。
　【図３】
　変換誤差ノイズの発生を説明する図である。
　【図４】
　変換誤差ノイズ発生の原因を説明する図である。
　【図５】
　本実施例による信号処理を説明する図である。
　【図６】
　本発明の第２実施例を示す図である。
　【図７】
　本発明の第３実施例を示す図である。
　【符号の説明】
　（１）・・・・輝度信号、色差信号分離回路、
　（２）・・・・輪郭強調回路、
　（３）・・・・輝度信号、色差信号からＲＧＢに変換する変換回路、
　（４）・・・・コントラスト調整回路、
　（５）・・・・誤差拡散処理回路、
　（６）・・・・人物を取り込んだ画像、
　（６１）・・・人物、
　（６２）・・・背景、
　（６３）・・・変換誤差ノイズ、
　（７）・・・・黒レベル調整回路、
　（８）・・・・輝度信号、色差信号からＣＭＹ信号に変換する変換回路。